(57)【要約】【課題】従来の集中巻の構成では、巻線部の空間断面積を十分取れないため巻線の占積率に制限があり性能を上げられないと言う課題を有していた。さらに通常組立後に固定子巻線を用いて行われる、マグネットの着磁の際発生する電磁気力で、巻線が半径方向へ変形するのを防ぐため、十分な磁化力を加えられないという課題も有していた。【解決手段】本発明は、固定子インシュレータ１６の巻線部側壁１７を補強材１８で強化し、強化した余裕分インシュレータの側壁等の肉厚を薄くして、巻線部の空間断面積をアップすることで、巻線の変形を抑え、且つ１００％着磁可能な密閉型電動圧縮機を提供するものである。【選択図】図１
2011147282.tif 000002
【特許請求の範囲】
【請求項１】
積層された鉄板からなる固定子鉄心の歯部に、絶縁と巻枠を兼ねたエンドインシュレータを介して巻線を集中して巻いた固定子の、前記エンドインシュレータの巻線部の側壁を、補強材で補強してなるブラシレスモータを有する密閉型電動圧縮機。
【請求項２】
固定子のエンドインシュレータの巻線部の側壁等の厚みを、補強材で強化した余裕分薄くしてある請求項１記載の密閉型電動圧縮機。
【発明の詳細な説明】
【技術分野】
【０００１】
本発明は空調・冷却機に用いられる密閉型電動圧縮機に関するものである。
【背景技術】
【０００２】
従来密閉型電動圧縮機の集中巻仕様のブラシレスモータの固定子の絶縁と巻枠を兼ねたエンドインシュレータには、通常ＰＰＳやＬＣＰ、ＰＢＴなどの絶縁樹脂が用いられるが、巻線をある空間断面積の内に保持するためには、側壁には強度を保持するための十分な厚み及び形状を必要としていた。
【先行技術文献】
【特許文献】
【０００３】
【特許文献１】特開２００１−０５５９７９号公報
【発明の概要】
【発明が解決しようとする課題】
【０００４】
しかしながら、上記従来の集中巻の構成では、巻線部の空間断面積を十分取れないため巻線の占積率に制限があり性能を上げられないと言う課題を有していた。さらに通常組立後に固定子巻線を用いて行われる、マグネットの着磁の際発生する電磁気力で、巻線が半径方向へ変形するのを防ぐため、十分な磁化力を加えられないと言う別の課題も有していた。
【０００５】
本発明はこのような従来の課題を解決するものであり、巻線の変形を抑え、且つ１００％着磁可能な密閉型電動圧縮機を提供することを目的とする。
【課題を解決するための手段】
【０００６】
前記の課題を解決するために、エンドインシュレータの巻線部の側壁をコア面から上にコの字に補強材を挿入するようにした。
【発明の効果】
【０００７】
本発明の固定子の構成によって、従来よりも巻線による変形強度を確保できると共に、同じ強度であればインシュレータの厚みを薄くでき、巻線部の空間断面積を大きくすることができるので、１００％の着磁による性能確保と占積率のアップによりモータ効率を良くすることが可能である。
【図面の簡単な説明】
【０００８】
【図１】本発明実施の形態１における固定子の組立斜視図
【図２】本発明実施の形態１における固定子巻線部の断面図
【図３】本発明実施の形態２における固定子巻線部の断面図
【図４】本発明実施の形態１及び２における補強材の斜視図
【図５】本発明における密閉型電動圧縮機の断面図
【発明を実施するための形態】
【０００９】
請求項１の発明は、密閉型電動圧縮機に用いられるブラシレスモータを構成する積層された鉄板から成る固定子であって、巻線を該固定子の歯部に集中して巻く構成である絶縁と巻枠を兼ねたエンドインシュレータの巻線部の側壁を、補強材で補強することによって巻線の圧力による変形を抑え、巻線による着磁の際発生する電磁気力による変形を防止できる。
【００１０】
請求項２の発明は、請求項１記載の固定子のエンドインシュレータの巻線部の側壁の厚みを補強材で強化した余裕分薄くすることによって、巻線部の空間断面積が増加し、巻線の占積率をアップすることができる。
【００１１】
以下本発明の実施の形態について図面を参照して説明する。なお、この実施の形態によって本発明が限定されるものではない。
【００１２】
（実施の形態１）
図１は、本発明の第１の実施の形態のブラシレスモータの固定子組立斜視図である。
【００１３】
図において、固定子のヨーク１２の歯部１３に、巻線の巻枠を兼ねたエンドインシュレータ１５、１５ａを介して巻線１４を巻回してある。
【００１４】
図２は前記エンドインシュレータ１５の巻線部の断面を示す図である。
【００１５】
図において、胴１６と１７、１７ａの側壁で巻き枠を構成している。前記側壁は強度を確保する為根元等を厚くしてある。該巻枠と固定子ヨーク１２の間に、図４に示す補強材１８が枠に沿ってコの字に挿入されている。ここで補強材は非磁性の金属材料を用いる。なお省略してあるがエンドインシュレータ１５ａ側も相似形である。
【００１６】
図５は、本発明のブラシレスモータの固定子を用いた密閉型電動圧縮機の断面である。
【００１７】
図において、１は該固定子で胴シェル６に絞まりバメ固定され、圧縮機のメカ部３の回転軸４に固定されている回転子２とでモータを形成する。回転軸４を支える軸受５は、前記メカ部３と一体で形成されている。また、上下シェル７、８と前記胴シェル６とで圧力容器を形成し、該圧力容器にアキュームレータ、吐出管９、１０、とモータに電源を供給する端子１１設け、圧縮機を形成している。
【００１８】
かかる状態にて、固定子巻線１４を着磁コイルとしてマグネット着磁が行われる。この際巻線端部に半径方向、軸方向に大きな電磁気力が発生する。その内、前者が側壁１７に加わる。
【００１９】
以上のように構成された固定子は、補強材によって最低でも数倍の変形強度を巻枠部に与えることになる。
【００２０】
かかる構成にしたことによって、本実施の形態の固定子は、巻線による着磁の際発生する電磁気力の半径方向の力を十分支えることが可能となり１００％着磁による性能確保が可能となる。
【００２１】
（実施の形態２）
図３は、本発明の実施の形態２のエンドインシュレータ１９の巻線部の断面を示す図である。
【００２２】
図において、胴２０と２１、２１ａの側壁で巻き枠を構成している。該巻枠と固定子ヨーク１２の間に図４の補強材１８が枠に沿ってコの字に挿入されている。なお省略してあるがエンドインシュレータ１９ａ側も相似形である。
【００２３】
実施の形態１との違いは、補強材１８により強度を十分確保した上で、余裕の有る分側壁の根元等の肉厚を薄くし、巻線１４の空間断面積を増加（斜線部Ｓ）したものである。
【００２４】
以上のように構成された固定子は、本実施の形態では２〜５％ほど巻線の空間断面積を増加することが出来る。
【００２５】
かかる構成にしたことによって、強度を確保した上で、巻線の占積率がアップし、モータ効率を良くすることができる。
【産業上の利用可能性】
【００２６】
以上のように、本発明の密閉型電動圧縮機は、集中巻き仕様のブラシレスモータの１００％着磁による性能確保と、占積率アップによりモータ効率が良くなるため、他の同類の集中巻きモータの分野にも応用可能である。
【符号の説明】
【００２７】
１  固定子
２  回転子
３  メカ部
４  回転軸
５  軸受
６  胴シェル
７  上シェル
８  下シェル
９  吸入管
１０  アキュームレータ
１１  電源端子
１２  固定子ヨーク
１３  歯部
１４  巻線
１５  エンドインシュレータ
１５ａ  エンドインシュレータ
１９  エンドインシュレータ
１９ａ  エンドインシュレータ
１６  胴
２０  胴
１７  側壁
１７ａ  側壁
１８  補強材
２１  側壁
２１ａ  側壁
【図１】
2011147282.tif 000003
【図２】
2011147282.tif 000004
【図３】
2011147282.tif 000005
【図４】
2011147282.tif 000006
【図５】
2011147282.tif 000007